(57)【要約】【課題】処方箋情報の送信先の候補を適切に提示することができる仕組みを提供すること。【解決手段】薬剤情報を含む処方箋情報を読み取る読取手段と、該読取手段で読み取った処方箋情報を送信する送信手段と、を備える情報処理システムであって、読取手段で読み取った処方箋情報に含まれる薬剤情報が、以前に薬局で処方された薬剤を含むか否かを判定する判定手段と、判定手段による判定結果に基づいて、送信手段による処方箋情報の送信先として薬剤を以前に処方した薬局を選択させるための選択画面を表示部に表示させる表示制御手段と、を有することを特徴とする。【選択図】図６
2018106584.tif 000002
【特許請求の範囲】
【請求項１】
薬剤情報を含む処方箋情報を読み取る読取手段と、該読取手段で読み取られた処方箋情報を送信する送信手段と、を備える情報処理システムであって、
前記読取手段で読み取られた処方箋情報に含まれる薬剤情報が、以前に薬局で処方された薬剤を含むか否かを判定する判定手段と、
前記判定手段による判定結果に基づいて、前記送信手段による前記処方箋情報の送信先として前記薬剤を以前に処方した薬局を選択させるための選択画面を表示部に表示させる表示制御手段と、
を有することを特徴とする情報処理システム
【請求項２】
前記表示制御手段は、前記判定手段による判定結果により、前記読取手段で読み取られた処方箋情報に含まれる薬剤情報が以前に薬局で処方された薬剤を含むと判定された場合には、前記選択画面を表示部に表示させることを特徴とする請求項１に記載の情報処理システム。
【請求項３】
前記選択画面は、前記読み取り手段で読み取られた処方箋情報に含まれる薬剤情報が、以前に薬局で処方された薬剤を含む場合には、該処方した薬局の一覧を示す情報を選択可能な第一の表示アイテムと、他の条件に基づいて薬局の一覧を示す情報を選択可能な第二の表示アイテムと、を含むことを特徴とする請求項１または２に記載の情報処理システム。
【請求項４】
前記他の条件は、前記読取手段で前記処方箋情報を読み取った位置情報および患者の自宅の位置情報のうち少なくともいずれか一方を含む条件であることを特徴とする請求項１から３のいずれか１項に記載の情報処理システム。
【請求項５】
前記表示制御手段は、前記判定手段による判定結果により、前記読取手段で読み取られた処方箋情報に含まれる薬剤情報が以前に薬局で処方された薬剤を含まないと判定された場合には、前記選択画面とは異なる他の選択画面を前記表示部に表示させることを特徴とする請求項１から４のいずれか１項に記載の情報処理システム。
【請求項６】
患者と、該患者が過去に処方された処方箋の履歴と、該処方箋が送信された送信履歴と、を対応づけて管理する管理手段を更に有し、
前記判定手段は、前記読取手段で読み取った処方箋情報に含まれる前記薬剤情報と、前記管理手段により管理される前記処方履歴に含まれる薬剤が一致するか否かを判定することを特徴とする請求項１から５のいずれか１項に記載の情報処理システム。
【請求項７】
前記表示制御手段は、前記判定手段により、前記読取手段で読み取った処方箋情報に含まれる前記薬剤情報と、前記管理手段により管理される前記処方履歴に含まれる処方箋とが一致すると判定された場合に、該処方履歴に対応付けられた送信履歴に基づく薬局を選択可能な態様で前記選択画面に表示することを特徴とする請求項６に記載の情報処理システム。
【請求項８】
前記送信手段は、ファクシミリ送信を含み、
前記読取手段で読み取った処方箋情報を、前記表示部により選択された薬局にファクシミリで送信することを特徴とする請求項１から７のいずれか１項に記載の情報処理システム。
【請求項９】
薬剤情報を含む処方箋情報を読み取る読取手段と、該読取手段で読み取った処方箋情報を送信する送信手段と、を備える情報処理システムの制御方法であって、
前記読取手段で読み取った処方箋情報に含まれる薬剤情報が、以前に薬局で処方された薬剤を含むか否かを判定する判定工程と、
前記判定工程による判定結果に基づいて、前記送信手段による前記処方箋情報の送信先として前記薬剤を以前に処方した薬局を選択させるための選択画面を表示部に表示させる表示制御工程と、
を有することを特徴とする情報処理システムの制御方法。
【請求項１０】
請求項９に記載の情報処理システムの制御方法をコンピュータに実行させるためのコンピュータプログラム。
【請求項１１】
薬剤情報を含む処方箋情報を読み取る読取手段と、該読取手段で読み取った処方箋情報を送信する送信手段と、を備える画像形成装置であって、
前記読取手段で読み取った処方箋情報に含まれる薬剤情報が、以前に薬局で処方された薬剤を含むか否かが判定された判定結果に基づいて、前記送信手段による前記処方箋情報の送信先として前記薬剤を以前に処方した薬局を選択させるための選択画面を表示部に表示させる表示制御手段と、
を有することを特徴とする画像形成装置。
【請求項１２】
薬剤情報を含む処方箋情報を読み取る読取手段と、該読取手段で読み取った処方箋情報を送信する送信手段と、を備え、画像形成装置と通信可能な情報処理装置であって、
前記読取手段で読み取った処方箋情報に含まれる薬剤情報が、以前に薬局で処方された薬剤を含むか否かを判定する判定手段と、
前記判定手段による判定結果に基づいて、前記薬剤を以前に処方した薬局を選択させるための選択画面を送信するか否かを決定する決定手段と、
を有することを特徴とする情報処理装置。
【発明の詳細な説明】
【技術分野】
【０００１】
本発明は、処方箋情報の読み取りが可能な情報処理システム、情報処理システムの制御方法、情報処理システムの制御方法のプログラム、画像形成装置および情報処理装置に関する。
【背景技術】
【０００２】
病院にて発行された処方箋を受け取った患者は、該患者自身で調剤薬局に処方箋を提出し薬剤を受け取る場合がある。そして、調剤薬局での待ち時間を短縮するため、患者は、調剤薬局に出向く前に、処方箋の情報をＦＡＸ等により送信する場合がある。調剤薬局は、該処方箋の情報により、調剤のための作業を事前に行うことができる。この場合に、患者は、情報処理装置により提示された調剤薬局のリスト等から、処方箋を送信する調剤薬局を選択することができる。
【０００３】
特許文献１には、患者が所持する携帯端末の位置情報に基づいて、処方箋に記載された薬剤を調剤可能な近隣の調剤薬局のリストを提示する処方箋受領システムが開示されている。
【先行技術文献】
【特許文献】
【０００４】
【特許文献１】特開２００２−１６３３６５号公報
【発明の概要】
【発明が解決しようとする課題】
【０００５】
しかし、特許文献１に記載されたシステムでは、位置情報に基づいて近隣の調剤薬局のリストが提示されているのみであり、患者の好みの傾向に合った調剤薬局が提示されない場合がある。そのため、従来技術のシステムでは、処方箋の情報の送信先を選択する際に、患者にとって手間がかかるおそれがあった。
【０００６】
そこで、本発明は、上記の課題に鑑みてなされたものであり、処方箋情報の送信先の候補を適切に提示することができる仕組みを提供することを目的とする。
【課題を解決するための手段】
【０００７】
そこで、本発明は、薬剤情報を含む処方箋情報を読み取る読取手段と、該読取手段で読み取った処方箋情報を送信する送信手段と、を備える情報処理システムであって、前記読取手段で読み取った処方箋情報に含まれる薬剤情報が、以前に薬局で処方された薬剤を含むか否かを判定する判定手段と、前記判定手段による判定結果に基づいて、前記送信手段による前記処方箋情報の送信先として前記薬剤を以前に処方した薬局を選択させるための選択画面を表示部に表示させる表示制御手段と、を有することを特徴とする。
【発明の効果】
【０００８】
本発明によれば、処方箋情報の送信先の候補を適切に提示することができる仕組みを提供することができる。
【図面の簡単な説明】
【０００９】
【図１】本実施形態における情報処理システムの一例を示す図である。
【図２】本実施形態における情報処理装置のハードウェア構成の一例を示す図である。
【図３】本実施形態における画像形成装置のハードウェア構成の一例を示す図である。
【図４】本実施形態における情報処理システムの機能構成の一例を示す図である。
【図５】本実施形態における処方箋情報とデータベースとの照合処理の一例を示すフローチャートである。
【図６】本実施形態における薬局リストを取得する処理の一例を示すフローチャートである。
【図７】本実施形態における処方箋情報を送信する処理の一例を示すフローチャートである。
【図８】本実施形態における画面表示の一例を示す図である。
【図９】本実施形態におけるデータベースの一例を示す図である。
【発明を実施するための形態】
【００１０】
以下、図面を参照して、本発明の一実施形態を詳細に説明する。
【００１１】
図１を用いて、本実施形態における情報処理システムの一例を示す図である。図１における情報処理システム１０は、情報処理装置１００、画像形成装置２００を含む。
【００１２】
情報処理システム１０は、１または２以上の画像形成装置２００、及び情報処理装置１００がローカルネットワーク（ＬＡＮ）３００を介して接続される構成となっている。なお、画像形成装置２００にログインするための認証用のサーバ（図示しない）を備える構成であってもよい。
【００１３】
なお、本実施形態では、画像形成装置２００内にユーザ認証テーブルを記憶し、ユーザ認証を行う構成となっている。情報処理システム１０は、選択した薬局に処方箋情報を送信可能な情報処理システム（処方箋情報送信システム）である。
【００１４】
情報処理装置１００は、患者情報と薬局情報のデータベースの管理を行う。また、情報処理装置１００は、画像形成装置２００への画面表示、画像形成装置２００へのファクシミリ送信指示を行う。
【００１５】
画像形成装置２００は、ウェブブラウザー機能を備えており情報処理装置１００で管理している画面の表示を行う。また、画像形成装置２００は、情報処理装置１００から要求があった場合に、文書を読み取る読み取り動作、文書をファクシミリデータとして送信するファクシミリ送信動作を行うことが可能である。ここで、読み取り動作は、文書に対し光学的に走査するスキャン動作を含みうる。また、画像形成装置２００は、読み取った文書をファクシミリ送信以外の送信方法（例えば、メール送信）により送信することも可能である。
【００１６】
ここで、患者情報は、患者に関する情報であり、図９（ａ）、（ｂ）で示す情報がその一例である。薬局情報は、薬局に関する情報であり、図９（ｃ）で示す情報がその一例である。また、処方箋情報は、処方箋に記載された情報を示し、少なくとも薬剤情報を含む。ここで、処方箋は、紙媒体である場合について説明するが、電子化された情報であってもよい。薬剤情報は、薬剤に関する情報を示し、少なくとも処方箋で処方されるべき薬剤を特定するための情報を含む。薬剤を特定するための情報は、例えば、薬剤名である。
【００１７】
図２は、本実施形態における情報処理装置１００のハードウェア構成の一例を示すブロック図である。
【００１８】
図２に示すように、情報処理装置１００は、システムバス２０４を介してＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、入力コントローラ２０５、ビデオコントローラ２０６、メモリコントローラ２０７、よび通信Ｉ／Ｆコントローラ２０８が接続される。
【００１９】
ＣＰＵ２０１は、システムバス２０４に接続される各デバイスやコントローラを統括的に制御する。
【００２０】
ＲＯＭ２０２あるいは外部メモリ２１１は、ＣＰＵ２０１が実行する制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、本情報処理方法を実現するためのコンピュータ読み取り実行可能なプログラムおよび必要な各種データ（データテーブルを含む）を保持している。
【００２１】
ＲＡＭ２０３は、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードし、ロードしたプログラムを実行することで各種動作を実現する。
【００２２】
入力コントローラ２０５は、入力デバイス２０９からの入力を制御する。入力デバイス２０９がタッチパネルの場合、ユーザがタッチパネルに表示されたアイコンやカーソルやボタンに合わせて押下（指等でタッチ）することにより、各種の指示を行うことができることとする。なお、入力デバイス２０９は、キーボードおよびマウス等のポインティングデバイスも含みうる。
【００２３】
また、タッチパネルは、マルチタッチスクリーンなどの、複数の指でタッチされた位置を検出することが可能なタッチパネルであってもよい。
【００２４】
ビデオコントローラ２０６は、ディスプレイ２１０などの外部出力装置への表示を制御する。ディスプレイは本体と一体になったノート型パソコンのディスプレイも含まれるものとする。なお、外部出力装置はディスプレイに限ったものははく、例えばプロジェクタであってもよい。また、前述のタッチ操作を受け付け可能な装置については、入力装置も提供する。
【００２５】
なおビデオコントローラ２０６は、表示制御を行うためのビデオメモリ（ＶＲＡＭ）を制御することが可能で、ビデオメモリ領域としてＲＡＭ２０３の一部を利用することもできるし、別途専用のビデオメモリを設けることも可能である。
【００２６】
メモリコントローラ２０７は、外部メモリ２１１へのアクセスを制御する。外部メモリとしては、ブートプログラム、各種アプリケーション、フォントデータ、ユーザファイル、編集ファイル、および各種データ等を記憶する外部記憶装置（ハードディスク）、フレキシブルディスク（ＦＤ）、或いはＰＣＭＣＩＡカードスロットにアダプタを介して接続されるコンパクトフラッシュ（登録商標）メモリ等を利用可能である。
【００２７】
通信Ｉ／Ｆコントローラ２０８は、ネットワークを介して外部機器と接続・通信するものであり、ネットワークでの通信制御処理を実行する。例えば、ＴＣＰ／ＩＰを用いた通信やＩＳＤＮなどの電話回線、および携帯電話の３Ｇ回線を用いた通信が可能である。
【００２８】
尚、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００２９】
次に、図３を用いて、本実施形態における画像形成装置２００を制御するコントローラユニットのハードウェア構成について説明する。
【００３０】
図３は、図１に示した画像形成装置２００のコントローラユニットのハードウェア構成の一例を示すブロック図である。
【００３１】
図３において、３１６はコントローラユニットで、画像入力デバイスとして機能するスキャナ部３１４や、画像出力デバイスとして機能するプリンタ部３１２と接続する一方、ＬＡＮ（例えば、図１に示したＬＡＮ３００）や公衆回線（ＷＡＮ）（例えば、ＰＳＴＮまたはＩＳＤＮ等）と接続することで、画像データやデバイス情報の入出力を行う。
【００３２】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、画像データを一時記録するための画像メモリでもある。
【００３３】
３０３はＲＯＭで、システムのブートプログラムや各種制御プログラムが格納されている。３０４は外部記憶装置（ハードディスクドライブ（ＨＤＤ））で、システムを制御するための各種プログラム，画像データ等を格納する。
【００３４】
３０７は操作部インタフェース（操作部Ｉ／Ｆ）で、操作部（ＵＩ）３０８とのインタフェース部であり、操作部３０８に表示する画像データを操作部３０８に対して出力する。また、操作部Ｉ／Ｆ３０７は、操作部３０８から本システム使用者が入力した情報（例えば、ユーザ情報等）をＣＰＵ３０１に伝える役割をする。なお、操作部３０８はタッチパネルを有する表示部を備え、該表示部に表示されたボタンを、ユーザが押下（指等でタッチ）することにより、各種指示を行うことができる。
【００３５】
３０５はネットワークインタフェース（Ｎｅｔｗｏｒｋ  Ｉ／Ｆ）で、ネットワーク（ＬＡＮ）に接続し、データの入出力を行う。３０６はモデム（ＭＯＤＥＭ）で、公衆回線に接続し、ＦＡＸの送受信等のデータの入出力を行う。
【００３６】
３１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、認証で必要となるＩＣカードの読み取り用のカードリーダ３１９が外部Ｉ／Ｆ３１８に接続されている。そして、ＣＰＵ３０１は、この外部Ｉ／Ｆ３１８を介してカードリーダ３１９によるＩＣカードからの情報読み取りを制御し、該ＩＣカードから読み取られた情報を取得可能である。尚、ＩＣカードに限らず、ユーザを特定することが可能な記憶媒体であってもよい。この場合、記憶媒体にはユーザを識別するための識別情報が記憶される。この識別情報は、記憶媒体の製造番号でも、ユーザが企業内で与えられるユーザコードであってもよい。
【００３７】
以上のデバイスがシステムバス３０９上に配置される。
【００３８】
３２０はイメージバスインタフェース（ＩＭＡＧＥ  ＢＵＳ  Ｉ／Ｆ）であり、システムバス３０９と画像データを高速で転送する画像バス３１５とを接続し、データ構造を変換するバスブリッジである。
【００３９】
画像バス３１５は、ＰＣＩバスまたはＩＥＥＥ１３９４で構成される。画像バス３１５上には以下のデバイスが配置される。
【００４０】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ部３１２とコントローラユニット３１６を接続し、画像データの同期系／非同期系の変換を行う。また、３１３はスキャナインタフェース（スキャナＩ／Ｆ）で、スキャナ部３１４とコントローラユニット３１６を接続し、画像データの同期系／非同期系の変換を行う。
【００４１】
３１７は画像処理部で、入力画像データに対し補正、加工、編集を行い、プリント出力画像データに対して、プリンタの補正、解像度変換等を行う。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。
【００４２】
スキャナ部３１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０８から読み取り起動指示することにより、ＣＰＵ３０１がスキャナ３１４に指示を与え、フィーダは原稿用紙を１枚ずつフィードし原稿画像の読み取り動作を行う。
【００４３】
プリンタ部３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。なお、プリンタ部３１２には、異なる用紙サイズまたは異なる用紙向きを選択できるように複数の給紙段を持ち、それに対応した用紙カセットがある。
【００４４】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。また、操作部３０８は、各種操作キーとして、例えば、スタートキー、ストップキー、ＩＤキー、リセットキー等を備える。
【００４５】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０８のストップキーは、稼働中の動作を止める働きをする。また、操作部３０８のＩＤキーは、使用者のユーザＩＤを入力する時に用いる。リセットキーは、操作部からの設定を初期化する時に用いる。
【００４６】
カードリーダ３１９は、ＣＰＵ３０１からの制御により、ＩＣカード内に記憶されている情報を読み取り、該読み取った情報を外部Ｉ／Ｆ３１８を介してＣＰＵ３０１へ通知する。
【００４７】
次に、図４を用いて、本実施形態における情報処理システム１０における、情報処理装置１００および画像形成装置２００の機能構成の一例について説明する。尚、図４に示す機能構成はあくまで一例であり、用途や目的に応じて様々な構成例があるため、これに限定されない。また、各機能部が有する詳細な機能は、後述する各フローチャートにおいて説明する。また、各機能は、情報処理装置１００のＣＰＵ２０１（制御部）および画像形成装置２００のＣＰＵ３０１（制御部）により実行される。
【００４８】
情報処理装置１００は、機能部として、判定制御部４０１と、通信制御部４０２と、データベース管理部４０３を備える。
【００４９】
画像形成装置２００は、機能部として、読取制御部４１０と、通信制御部４１１と、表示制御部４１２と、ファクシミリ制御部４１３と、を備える。
【００５０】
判定制御部４０１は、読取制御部４１０で読み取った処方箋情報に含まれる薬剤情報が、以前に薬局で処方された薬剤を含むか否かを判定する機能を備える。具体的には、読取制御部４１０で読み取った処方箋情報に含まれる薬剤情報と、データベース管理部４０３により管理される処方履歴に含まれる処方箋が一致するか否かを判定する。
【００５１】
通信制御部４０２は、画像形成装置２００とＬＡＮ３００を介した通信を制御する機能を有する。
【００５２】
データベース管理部４０３は、患者と、該患者が過去に処方された処方箋の処方履歴と、該処方箋が送信された送信履歴と、を対応づけて管理する機能を備える。
【００５３】
読取制御部４１０は、薬剤情報を含む処方箋情報を読み取る読み取り動作を制御する機能を有する。
【００５４】
通信制御部４１１は、情報処理装置１００とのＬＡＮ３００を介した通信を制御する機能を有する。
【００５５】
表示制御部４１２は、画像形成装置２００の操作部３０８の表示部の表示を制御する機能を有する。具体的には、表示制御部４１２は、読取制御部４１０で読み取った処方箋情報に含まれる薬剤情報が、以前に薬局で処方された薬剤を含む場合には、以前に処方した薬局を選択可能な選択画面を表示部に表示させる。
【００５６】
ファクシミリ制御部４１３は、読取制御部４１０で読み取った処方箋情報をファクシミリデータとしてファクシミリ送信する機能を有する。
【００５７】
なお、画像形成装置２００が、判定制御部４０１とデータベース管理部４０３の機能の一部または全てを実行してもよい。また、情報処理装置１００が、読取制御部４１０と表示制御部４１２とファクシミリ制御部４１３の機能の一部または全てを実行してもよい。
【００５８】
次に図５〜図７のフローチャートを用いて、本実施形態における情報処理システム１０の動作について説明する。以下で説明する各ステップは、情報処理装置１００の制御部２０１（ＣＰＵ２０１）および画像形成装置２００の制御部３０１（ＣＰＵ３０１）が各機能部を動作することにより実行される処理である。
【００５９】
図５において、情報処理システム１０は、画像形成装置２００により読み取られた処方箋情報から薬剤名を取得する。そして、情報処理システム１０は、該取得した薬剤名と、データベース情報にある処方箋が一致するか否かの照合を行う。
【００６０】
ステップＳ５０１において、画像形成装置２００の制御部３０１は、ユーザがICカードをかざすことによりカードリーダ３１９からカードIDを取得する。また、制御部３０１は、ユーザから入力されたユーザIDとパスワードを入力する。画像形成装置２００の制御部３０１は、取得したユーザ情報と、画像形成装置２００に記憶されているユーザ認証テーブル（図示しない）を参照する。画像形成装置２００の制御部３０１は、これらが一致した場合にユーザにログインさせる。ユーザ認証テーブルには、ユーザID、パスワード、ICカードのカードIDがそれぞれ対応付けて登録されている。なお、ユーザ認証テーブルは、別途情報処理装置１００に記憶されている構成であってもよい。
【００６１】
ステップＳ５０２において、情報処理装置１００の制御部２０１は、画像形成装置２００からユーザIDを含む情報を取得する。
【００６２】
ステップＳ５０３において、情報処理装置１００の制御部２０１は、ユーザIDを用いてユーザ認証動作を行い、該認証の結果を送信する。
【００６３】
ステップＳ５０４において、画像形成装置２００の制御部３０１は、Ｓ５０３で認証が正常に完了した場合に、図８（ａ）で示す読み取り実行画面８００を表示する。この場合に、ログインしたユーザは画像形成装置２００を利用可能となる。ログインした際に、該ログインしたユーザのユーザＩＤやその他ユーザＩＤが紐づく情報（例えばメールアドレスや使用権限等）を含むユーザ情報が、メモリに記憶される。なお、ログアウトするとメモリに記憶されているユーザ情報は削除される。
【００６４】
ステップＳ５０５において、画像形成装置２００の制御部３０１は、ユーザの操作によって、図８（ａ）で示す読み取りボタン８０１が押下された場合に、情報処理装置１００に読み取り実行要求を送信する。
【００６５】
ステップＳ５０６において、情報処理装置１００の制御部２０１は、画像形成装置２００からの読み取り実行要求を受信する。情報処理装置１００の制御部２０１は、該実行要求の受信に応じて、読み取り設定（図示しない）を含む読み取り命令を生成し、画像形成装置２００に対して該読み取り命令を送信する。
【００６６】
ステップＳ５０７において、画像形成装置２００の制御部３０１は、情報処理装置１００から読み取り命令を受信し、該受信した読み取り命令に従って読み取り動作を実行する。
【００６７】
ステップＳ５０８において、画像形成装置２００の制御部３０１は、読み取り動作によって生成された読み取りファイル（処方箋情報）を所定の格納先に送信する。ここで、所定の格納先は、例えば、情報処理装置１００で読み取り設定に含まれるファイル送信先（格納先パス）である。送信は、ＷＥＢＤＡＶ送信やＦＴＰ送信を用いて行う。
【００６８】
なお、画像形成装置２００の制御部３０１は、読み取られた原稿毎に１つのファイルを生成するものとしているが、この限りではない。例えば、複数枚で1つの処方箋となる場合には、画像形成装置２００の制御部３０１が、先頭のページを認識し、１つの処方箋毎に読み取りファイルを生成してもよい。この場合に、画像形成装置２００の制御部３０１は、生成したファイル単位で送信する構成としてもよい。
【００６９】
ステップＳ５０９において、情報処理装置１００の制御部２０１は、画像形成装置２００から読み取りファイルを受信し、メモリに格納する。この場合に、情報処理装置１００の制御部２０１は、画像形成装置２００から送信されるジョブ状況情報の取得を行い、読み取り完了、ならびに読み取られた処方箋情報のファイル送信の完了のステータスとなった場合に、格納先のファイルを取得することとする。
【００７０】
ステップＳ５１０において、情報処理装置１００の制御部２０１は、格納先の送信ファイルを取得して、処方箋に対して、ＯＣＲ処理を実行する。
【００７１】
ステップＳ５１１において、情報処理装置１００の制御部２０１は、ＯＣＲ処理結果を取得する。これにより、情報処理装置１００の制御部２０１は、送信された処方箋で処方された薬剤情報を取得できる。なお、ここでは、薬剤情報として、薬剤名を取得した場合について説明するがこれに限られるものではない。例えば、処方箋から処方箋情報を取得する方法は、処方箋全体を撮影して画像として認識させて取得する方法、薬剤を識別可能な識別番号、二次元バーコード等の情報を取得する方法も含まれる。
【００７２】
ステップＳ５１２において、情報処理装置１００の制御部２０１は、データベースとの接続を行う。
【００７３】
ステップＳ５１３において、情報処理装置１００の制御部２０１は、Ｓ５０２で取得したユーザＩＤを検索キーとしてデータベース検索を行う。情報処理装置１００の制御部２０１は、該ユーザＩＤと図９（ａ）で示すユーザＩＤが一致するか否かを判定し、該判定結果に応じてユーザＩＤが一致するレコードデータ（患者情報データ）の取得を行う。
【００７４】
ステップＳ５１４において、情報処理装置１００の制御部２０１は、Ｓ５１１で取得した薬剤名とＳ５１３で取得した患者情報データ内の薬剤情報が示す薬剤名とが一致するか否かを判定する。ここで、薬剤情報は、薬剤(履歴１〜３)から構成され。情報処理装置１００の制御部２０１は、これらの各々とＳ５１１で取得した薬剤名とのマッチング処理を行う。
【００７５】
次に、図６を用いて、情報処理システム１０が、薬剤の情報および画像形成装置２００から取得した情報に基づいて薬局情報の一覧（リスト）を取得する処理について説明する。
【００７６】
ステップＳ６０１において、情報処理装置１００の制御部２０１は、読み取られた薬剤情報が以前に処方された薬剤か否かの判定処理を行う。該判定処理は、読み取られた薬剤名を検索キーとして、患者情報データのいずれかと一致するか否かの判定する処理である。つまり、情報処理装置１００の制御部２００は、Ｓ６０１の判定結果を用いて、以前に同じ薬剤が処方されていたか否かに応じて制御を切り替える。
【００７７】
ステップＳ６０２において、情報処理装置１００の制御部２００は、以前に同じ薬剤が処方されていると判定された場合には、以前に処方した薬局を選択させるための選択画面を画像形成装置２００に送信する。ここで、選択画面は、以前にまた、選択画面は、選択条件(ソート順)として、以前に受け取った薬局、病院からの最寄りの薬局、ユーザの自宅からの最寄りの薬局のいずれかを一覧を選択させるための情報を含む。
【００７８】
ステップＳ６０３において、情報処理装置１００の制御部２００は、以前に同じ薬剤が処方されていない場合には、病院からの最寄り薬局、ユーザの自宅からの最寄りの薬局を選択させる選択画面を送信する。換言すると、ステップＳ６０１からＳ６０３により、情報処理装置１００の制御部２００は、以前に同じ薬剤が処方されているか否かを判定した判定結果に応じて、以前に受け取った薬局を選択させるための選択画面を送信するか否かを切り替えていると言える。
【００７９】
ステップＳ６０４において、情報処理装置１００の制御部２００は、画像形成装置２００側で選択された情報を取得する。当該情報を取得する前に、画像形成装置２００の制御部３０１は、Ｓ６０２において情報処理装置１００の制御部２００から送信された選択画面を受信する。画像形成装置２００の制御部３０１は、該選択画面を受信したことに応じて、図８（ｂ）で示す処方箋受け取り選択画面８１０を表示する。画像形成装置２００の制御部３０１は、処方箋受け取り選択画面８１０においてユーザの操作を受け付けることによって、薬局選択を行う際の表示条件を情報処理装置１００の制御部２００に送信する。ここで、画像形成装置２００の制御部３０１は、情報処理装置１００の制御部２００により、以前に同じ薬剤が処方されているか否かを判定した判定結果に応じて、処方箋受け取り選択画面８１０として表示させる表示内容を切り替えていると言える。具体的には、画像形成装置２００の制御部３０１は、以前に同じ薬剤が処方されていると判定された場合には、処方箋受け取り選択画面８１０に、「以前に受け取った薬局」を示す表示８１１を表示させる。一方、画像形成装置２００の制御部３０１は、以前に同じ薬剤が処方されていると判定されていない場合には、処方箋受け取り選択画面８１０に、「以前に受け取った薬局」を示す表示８１１を表示させない。
【００８０】
そして、情報処理装置１００の制御部２００は、処方箋受け取り選択画面８１０で「以前に受け取った薬局」が選択されたか否かを判定する。情報処理装置１００の制御部２００は、「以前に受け取った薬局」が選択された場合に、ステップＳ６０６へ処理を移行する。情報処理装置１００の制御部２００は、「以前に受け取った薬局」とは異なる選択肢が選択された場合に、ステップＳ６０５へ処理を移行する。
【００８１】
ステップＳ６０５において、情報処理装置１００の制御部２００は、処方箋受け取り選択画面８１０または処方箋受け取り選択画面８２０で「病院からの最寄りの薬局」が選択されたか否かを判定する。情報処理装置１００の制御部２００は、「病院からの最寄りの薬局」が選択された場合に、Ｓ６０９へ処理を移行する。一方で、情報処理装置１００の制御部２００は、処方箋受け取り選択画面８１０または処方箋受け取り選択画面８２０で「病院からの最寄りの薬局」が選択されていない場合、すなわち「自宅からの最寄りの薬局」が選択された場合に、Ｓ６０９へ処理を移行する。
【００８２】
なお、ステップＳ６０５において、画像形成装置２００の制御部３０１は、該選択画面を受信したことに応じて、図８（ｂ）で示す処方箋受け取り選択画面８１０を表示する。
【００８３】
よって、Ｓ６０４およびＳ６０５により、情報処理装置１００の制御部２０１は、薬局の選択を行う上での条件情報のうち、「以前に受け取った薬局」、「病院からの最寄りの薬局」、「ユーザの自宅からの最寄り」のいずれの条件が選択されたかの判定を行う。
【００８４】
ステップＳ６０６において、情報処理装置１００の制御部２０１は、取得しているログインユーザＩＤを検索キーとして、データベース検索を行う。該データベース検索において、情報処理装置１００の制御部２０１は、図９(a)で示す薬剤名と対応する処方箋送付先データ（処方先）を検索して取得する。なお、複数の合致情報が存在する場合には、情報処理装置１００の制御部２０１は、複数データを取得する。
【００８５】
ステップＳ６０７において、情報処理装置１００の制御部２０１は、データベース検索結果として取得した処方箋送付先データを検索キーとして、図９（ｃ）示すデータベースの検索を行う。情報処理装置１００の制御部２０１は、管理ＩＤに合致した薬局名、開店時間、閉店時間、休日、ＦＡＸ番号、住所データの取得を行う。該データベース検索において、情報処理装置１００の制御部２０１は、複数の合致情報が存在する場合は複数のレコードを取得する。
【００８６】
ステップＳ６０８において、情報処理装置１００の制御部２０１は、取得されたレコード情報を一覧情報（リスト情報）として取得する。情報処理装置１００の制御部２０１は、該リスト情報のうち対応する薬剤情報に基づいて直近に受け取った順に並び替え処理を行うとともに、該並び替えた後の一覧情報を画像形成装置２００へ送信する。
【００８７】
ステップＳ６０９において、情報処理装置１００の制御部２０１は、画像形成装置２００が配置されている位置情報の取得を行う。なお、本実施形態において、画像形成装置２００は、病院内に配置されているものとするが、病院との相対的な位置関係が設定されていればこれに限られるものではない。
【００８８】
ステップＳ６１０において、情報処理装置１００の制御部２０１は、図９(ｃ)で示すデータベースの検索を行う。この場合に、情報処理装置１００の制御部２０１は、図９(ｃ)で示す位置情報をから、画像形成装置２００が配置されている位置情報を基準として、所定の範囲内にある薬局情報の検索を行う。ここで、該所定の範囲は、情報処理装置１００により、設定ファイルで記録しておいてもよく、画像形成装置２００の画面上でユーザが入力する方式でもよい。
【００８９】
ステップＳ６１１において、情報処理装置１００の制御部２０１は、取得された情報を一覧情報として保持する。情報処理装置１００の制御部２０１は、該一覧情報のうち、画像形成装置２００が配置されている位置からの距離が近い順、すなわち病院から近い順にソート処理を行い、情報処理装置１００の制御部２０１が画像形成装置２００へ該ソート処理した結果を送信する。
【００９０】
ステップＳ６１２において、情報処理装置１００の制御部２０１は、データベース検索を行いユーザの自宅情報を取得する。なお自宅情報を取得する際に、情報処理装置１００の制御部２０１は、ユーザＩＤを検索キーとした図９(ｂ)で示す位置情報を検索し、取得を行う。
【００９１】
ステップＳ６１３において、情報処理装置１００の制御部２０１は、図９(ｃ)へのデータベース検索を行う。この場合に、情報処理装置１００の制御部２０１は、取得したユーザの自宅情報を基準として、所定の範囲内にある薬局情報の検索を行う。ここで、該所定の範囲は、情報処理装置１００により、設定ファイルで記録しておいてもよく、画像形成装置２００の画面上でユーザが入力する方式でもよい。
【００９２】
ステップＳ６１４において、情報処理装置１００の制御部２０１は、取得された情報を一覧情報として保持する。情報処理装置１００の制御部２０１は、該一覧情報のうち、画像形成装置２００が配置されている位置からの距離が近い順、すなわち病院から近い順にソート処理を行い、情報処理装置１００の制御部２０１が画像形成装置２００へ送信する。
【００９３】
図７を用いて、情報処理システム１０における、ユーザが選択した薬局に対してファクシミリデータのファクシミリ送信を行う処理を説明する。
【００９４】
ステップＳ７０１において、情報処理装置１００の制御部２０１は、Ｓ６０８，Ｓ６１１，Ｓ６１４のいずれかで取得した一覧情報を画像形成装置２００へ送信する。
【００９５】
ステップＳ７０２において、画像形成装置２００の制御部３０１は、情報処理装置１００から一覧情報を受信するとともに、図８(ｄ)で示す処方箋送信選択画面８３０を表示する。
【００９６】
ステップＳ７０３において、画像形成装置２００の制御部３０１は、ユーザの操作により薬局の選択を受け付け、該選択された薬局を示す情報を情報処理装置１００に送信する。この場合に、ユーザは、図８(ｄ)の処方箋送信選択画面８３０上の薬局リスト８３１から薬局を選択した後に、図８（ｄ）で示す送信ボタン８３２を押下することでファクシミリ送信が開始される。
【００９７】
ステップＳ７０４において、情報処理装置１００の制御部２０１は、画像形成装置２００から選択された薬局情報を受信する。情報処理装置１００の制御部２０１は、図９（ｃ）で示す薬局情報に対応づけられたファクス番号を、読み取られた処方箋情報と共にファクシミリデータとして生成する。
【００９８】
ステップＳ７０５において、情報処理装置１００の制御部２０１は、ファクシミリデータを含むファクシミリ送信命令を画像形成装置２００に送信する。
【００９９】
ステップＳ７０６において、画像形成装置２００の制御部３０１は、情報処理装置１００からファクシミリ送信命令を受信し、ファクシミリ送信命令に基づいてファクシミリ送信を実行する。
【０１００】
ステップＳ７０７において、画像形成装置２００の制御部３０１は、ファクシミリ送信の完了画面（図示しない）を表示する。なお、画像形成装置２００の制御部３０１は、当該完了情報とともに、薬局名および処方箋情報を完了画面に表示させてもよい。当該表示により、ユーザは、誤った薬局に送信していないか否かを再確認することができる。
【０１０１】
なお、画像形成装置２００の制御部３０１は、情報処理装置１００の制御部２０１がジョブ状況の確認を行った結果に基づいて完了情報を表示させてもよい。
【０１０２】
次に、図８を用いて、画像形成装置２００で表示される画面の一例について説明する。これらの画面は、画像形成装置２００における操作部３０８の表示部に表示される。
【０１０３】
図８（ａ）は、処方箋の読み取りを行うための読み取り実行画面８００である。読み取り実行画面８００には、複数の表示アイテム（８０１〜８０４）が表示される。読み取り実行画面８００は、少なくとも読み取りボタン８０１を含む。
【０１０４】
読み取りボタン８０１は、画像形成装置２００にて処方箋情報を読み取るための指示を受け付ける表示である。ユーザは、操作部３０８に表示される読み取りボタン８０１を選択することで、処方箋情報を読み取ることが可能となる。
【０１０５】
読み取り実行画面８００は、更に、操作すべき内容をユーザに提示するための表示８０２、ＵｓｅｒＩＤを示す表示８０３、操作内容を取り消すための表示８０４を含んでいてもよい。
【０１０６】
図８（ｂ）は、処方箋受け取り選択画面８１０である。処方箋受け取り選択画面８１０は、複数の表示アイテムとして、選択ボタン８１１、８１２、８１３を含んで表示される。更に、処方箋受け取り選択画面８１０は、操作すべき内容をユーザに提示するための表示８１４を含んでいてもよい。処方箋受け取り選択画面８１０は、少なくとも、薬局一覧情報をいずれの条件で表示させるかを選択可能な態様で表示する。
【０１０７】
選択ボタン８１１は、以前に同じ薬剤を受け取った薬局の検索結果の表示の要求を受け付けるため機能を備える。
【０１０８】
選択ボタン８１２は、画像形成装置２００が置かれている病院から最寄りの薬局の検索結果の表示の要求を受け付ける機能を備える。
【０１０９】
選択ボタン８１３は、自宅から最寄りの薬局の検索結果を表示の要求を受け付ける機能を備える。
【０１１０】
図８（ｃ）は、処方箋受け取り選択画面８２０である。なお、処方箋受け取り選択画面８２０は、過去に同じ薬剤を処方されていなかった場合に表示される。処方箋受け取り選択画面８２０は、受け取りたい薬局のグループ選択を行うための処方箋受け取り選択の画面である。処方箋受け取り選択画面８２０は、複数の表示アイテムとして、選択ボタン８２１、８２２を含んで表示される。
【０１１１】
処方箋受け取り選択画面８２０における選択ボタン８２１および８２２は、処方箋受け取り選択画面８１０における選択ボタン８１２および選択ボタン８１３にそれぞれ対応した機能を備える。処方箋受け取り選択画面８２０は、選択ボタン８１１に対応する表示を含まない場合について説明したがこれに限られるものではない。例えば、処方箋受け取り選択画面８２０において、選択ボタン８１１に対応するボタンを表示させ、他の選択ボタンと色や大きさを変更することで、ユーザに当該対応するボタンを押させないような表示にしてもよい。あるいは、処方箋受け取り選択画面８２０において、選択ボタン８１１を表示した状態で、ユーザからの入力を受け付けないようにしてもよい。
【０１１２】
図８（ｄ）は、図８（ｂ）または図８（ｃ）で選択された条件に基づいて表示される送信先選択画面８３０である。送信先選択画面８３０には、複数の表示アイテムとして、薬局リスト８３１、ファクシミリ送信ボタン８３２、表示条件８３３が表示される。ユーザは、操作部３０８の表示部に表示された薬局リスト８３１から薬局を選択することができる。画像形成装置２００の制御部３０１は、該選択された薬局に対して、送信ボタン８３２が押下されることに応じてファクシミリ送信を開始する。
【０１１３】
薬局リスト８３１は、図８（ｂ）または図８（ｃ）で選択された条件８３３に基づいて表示される薬局の一覧である。薬局リスト８３１は、薬局名と、住所、閉店時間を含んで表示される。ここで、薬局リスト８３１は、閉店時間を表示しているがこれに限られるものでなく、営業時間や、ユーザが任意に選択した時間に営業しているか否かを示してもよい。
【０１１４】
ファクシミリ送信ボタン８３２は、薬局リスト８３１で選択された薬局に対して、ファクシミリ送信をする処理を受け付ける。
【０１１５】
次に、図９を用いて、情報処理装置１００の制御部２０１が管理するデータテーブルの一例について説明する。当該データテーブルは、ＲＡＭ２０２、ＲＯＭ２０３、または外部メモリ２１１に記憶されている。図９（ａ）、（ｂ）は、患者情報を管理する患者情報テーブル９００である。
【０１１６】
図９（ａ）で示す患者情報テーブル９００が管理する患者情報は、以前に処方された薬剤の情報９０１と、患者名９０２とが対応づけられた情報である。患者情報は、更に、最新の処方日時を示す情報９０３、患者の住所９０４、患者を特定するための識別番号９０５（ＵｓｅｒＩＤ）が更に対応づけられている。情報処理装置１００は、それぞれの患者情報に対して、異なる管理ＩＤ９０６を付与することで、患者毎の情報管理を容易に行うことができる。図９（ｂ）で示す患者情報テーブル９１０は、患者が過去に処方された処方箋の処方履歴と、該処方箋が送信された送信履歴（処方先）とが対応づけられているデータベースである。なお、図９（ａ）、（ｂ）はそれぞれが互いに対応づけられたデータベースである。
【０１１７】
図９（ｃ）は、薬局情報を管理する薬局情報テーブル９２０である。薬局情報テーブル９２０は、処方箋の送付先となる薬局情報を管理するテーブルである。薬局情報テーブル９２０が管理する薬局情報は、ファクス番号９２１と、薬局名９２２と、営業時間を示す情報９２３（開店時間、閉店時間、休日）と、住所９２４とが対応づけられて情報である。
【０１１８】
以上、本実施系形態の情報処理システムにおいて、処方箋情報の送信先の候補を適切に提示することが可能である。
【０１１９】
上述の本実施形態において、情報処理システム１０が、読取制御部４１０で読み取られた処方箋情報に含まれる薬剤情報が、判定制御部４０１により以前に薬局で処方された薬剤を含むと判定された場合には、該以前に薬局で処方された薬局の一覧を取得可能な選択画面を表示している。このため、情報処理システム１０により、処方箋情報の送信先の候補を適切に提示することができる仕組みを提供される。そして、患者（ユーザ）は、自身が過去に同じ処方箋を処方してもらった薬局を容易に選択することができる。特に、行きつけの薬局がある患者にとっては、処方箋情報の送信先の候補を適切に選択するために、より便利なシステムであると言える。
【０１２０】
また、情報処理システム１０は、以前に該以前に薬局で処方された薬剤の一覧と、更に異なる他の条件から選択された条件で、薬局の一覧を表示させるための選択画面を表示している。このため、患者が好みの条件で、処方箋情報の送信先の候補を適切に選択することができる。
【０１２１】
なお、情報処理システム１０は、以前に薬局で処方された薬剤の一覧を取得可能な選択画面８０２を表示させなくともよい。つまり、情報処理システム１０は、薬剤を以前に処方した薬局を選択させるための選択画面として、判定制御部４０１による判定後直ちに、以前に薬局で処方された薬剤の一覧８３０を表示させてもよい。
【０１２２】
なお、本実施形態は、コンピュータや制御コンピュータがプログラム（コンピュータプログラム）を実行することによって実現することもできる。また、プログラムをコンピュータに供給するための手段、例えばかかるプログラムを記録したＣＤ−ＲＯＭ等のコンピュータが読み取り可能な記録媒体又はかかるプログラムを伝送するインターネット等の伝送媒体も実施例として適用することができる。また、上記のプログラムも実施形態として適用することができる。上記のプログラム、記録媒体、伝送媒体およびプログラムプロダクトは、本発明の範疇に含まれる。
【０１２３】
以上、実施形態に基づいて詳述してきたが、特定の実施形態に限られるものではなく、発明の要旨を逸脱しない範囲の様々な形態も本発明の範疇に含まれる。さらに、上述した実施形態は一実施の形態を示すものにすぎず、上述した実施形態から容易に想像可能な発明も本発明の範疇に含まれる。
【符号の説明】
【０１２４】
１０      情報処理システム
１００    情報処理装置
２００    画像形成装置
４０１    判定制御部
４１２    表示制御部
【図１】
2018106584.tif 000003
【図２】
2018106584.tif 000004
【図３】
2018106584.tif 000005
【図４】
2018106584.tif 000006
【図５】
2018106584.tif 000007
【図６】
2018106584.tif 000008
【図７】
2018106584.tif 000009
【図８】
2018106584.tif 000010
【図９】
2018106584.tif 000011